(57)【要約】      （修正有）【課題】見つけ幅、及び、見込み幅がより小さな額縁を有する額縁ユニット等を提供する。【解決手段】面材と、面材を保持する額縁と、を有する額縁ユニットであって、額縁は、縦枠材３２と横枠材３１とにより、面材の周端部を両面から挟持する一対の額縁構成枠を有し、一対の額縁構成枠は、縦枠材３２及び横枠材３１に長手方向に沿って設けられ、互いに対向して接着される接着部３１ｅ、３２ｄと、接着部の内周側に、面材の周端部に当接される面材当接部と、を各々有し、隣接する縦枠材３２と横枠材３１とのうちの一方となる第一部材の面材当接部は、隣接する縦枠材３２と横枠材３１とのうちの他方となる第二部材の接着部に当接されている。【選択図】図７
2019120083.tif 000002
【特許請求の範囲】
【請求項１】
面材と、
前記面材を保持する額縁と、を有する額縁ユニットであって、
前記額縁は、縦枠材と横枠材とにより、前記面材の周端部を両面から挟持する一対の額縁構成枠を有し、
前記一対の額縁構成枠は、前記縦枠材及び前記横枠材に長手方向に沿って設けられ、互いに対向して接着される接着部と、
前記接着部の内周側に、前記面材の前記周端部に当接される面材当接部と、
を各々有し、
隣接する前記縦枠材と前記横枠材とのうちの一方となる第一部材の前記面材当接部は、隣接する前記縦枠材と前記横枠材とのうちの他方となる第二部材の前記接着部に当接されていることを特徴とする額縁ユニット。
【請求項２】
請求項１に記載の額縁ユニットであって、
前記第二部材の前記接着部には、前記第一部材の前記接着部の端部が挿入される切り欠き部が設けられていることを特徴とする額縁ユニット。
【請求項３】
請求項１または請求項２に記載の額縁ユニットであって、
前記接着部と前記面材当接部との間には、前記面材とは反対側に窪む溝部が設けられていることを特徴とする額縁ユニット。
【請求項４】
請求項１乃至請求項３のいずれかに記載の額縁ユニットであって、
前記縦枠材と前記横枠材とは各々、当該額縁ユニットが取り付けられる戸本体に設けられた開口の内周面と対向し、前記開口内に配置される先端に前記接着部が設けられている開口対向部と、
前記接着部と間隔を空けて設けられ、前記開口対向部から前記開口の中央側に延出され、前記開口の中央側の先端に前記面材当接部が設けられた延出壁部と、
を有し、
前記第二部材の前記接着部は、前記開口の中央側に張り出し前記延出壁部と対向する張出部を有し、
前記第一部材の前記面材当接部の端部は前記張出部に当接し、前記第一部材の前記延出壁部が前記第二部材の前記延出壁部に当接していることを特徴とする額縁ユニット。
【請求項５】
請求項４に記載の額縁ユニットであって、
前記第一部材の前記開口対向部より外周側に設けられた被挿入部に前記第一部材の長手方向に沿って挿入される挿入部と、
前記第二部材の前記開口対向部に形成された挿入孔に挿入されて前記開口対向部より外周側に突出する突出部と、
を有する連結部材により前記縦枠材と前記横枠材とが連結されていることを特徴とする額縁ユニット。
【請求項６】
請求項５に記載の額縁ユニットと、
前記戸本体と、
を有し、
前記戸本体の前記開口は、四隅に外周側に窪む凹部を有しており、前記凹部に前記額縁ユニットの前記第二部材を貫通している前記突出部が配置されることを特徴とする戸体。
【発明の詳細な説明】
【技術分野】
【０００１】
本発明は、面材と、面材を保持する額縁と、を有する額縁ユニットおよび戸体に関する。
【背景技術】
【０００２】
面材を保持する額縁としては、例えば、戸本体の中央部に設けられた開口部に配置された板体を、開口部の縁部とともに室外および室内から挟持する前額縁と後額縁とを有する額縁が知られている(例えば、特許文献１参照)。この額縁の前額縁及び後額縁は、左右の縦枠と上下の横枠とがキャップを介してネジ止めされており、前額縁と後額縁とがビス止めされることにより一体化されて、戸本体の開口部の周辺縁部と板体の外周縁部とを挟持している。
【先行技術文献】
【特許文献】
【０００３】
【特許文献１】特開２００１−３６４６号公報
【発明の概要】
【発明が解決しようとする課題】
【０００４】
額縁を備えた戸において、戸本体の表面及び板体をより大きく露出させたい場合には、額縁の見つけ幅、及び、見込み幅をより小さく抑えることが望ましい。しかしながら、上記の額縁は、前額縁及び後額縁が何れも左右の縦枠と上下の横枠とがネジ止めされているので、前額縁及び後額縁がともに、見込み方向においてネジの頭部を覆う厚み、すなわち見込み幅を備えていなければならない。また、前額縁と後額縁ともビス止めされているので、板体の領域から外れた位置にて前額縁と後額縁とを連結するネジの頭部を覆う見つけ幅を左右の縦枠と上下の横枠とが有していなければならない。このため、額縁の見つけ幅、及び、見込み幅をより小さく抑えることができなかった。
【０００５】
本発明は、かかる課題に鑑みてなされたものであり、その目的とするところは、見つけ幅、及び、見込み幅がより小さな額縁を有する額縁ユニット及び戸体を提供することにある。
【課題を解決するための手段】
【０００６】
かかる目的を達成するために本発明の額縁ユニットは、面材と、前記面材を保持する額縁と、を有する額縁ユニットであって、前記額縁は、縦枠材と横枠材とにより、前記面材の周端部を両面から挟持する一対の額縁構成枠を有し、前記一対の額縁構成枠は、前記縦枠材及び前記横枠材に長手方向に沿って設けられ、互いに対向して接着される接着部と、
前記接着部の内周側に、前記面材の前記周端部に当接される面材当接部と、を各々有し、隣接する前記縦枠材と前記横枠材とのうちの一方となる第一部材の前記面材当接部は、隣接する前記縦枠材と前記横枠材とのうちの他方となる第二部材の前記接着部に当接されていることを特徴とする額縁ユニットである。
【０００７】
このような額縁ユニットによれば、隣接する縦枠材と横枠材とのうちの第一部材の面材当接部は第二部材の接着部に当接されているので、一対の額縁構成枠を互いに接着すべく各縦枠材及び各横枠材の接着部に接着剤を塗布すると、第一部材の面材当接部と第二部材の接着部との隙間にも接着剤が浸入する。このため、一対の額縁構成枠を互いに接着するだけで、各額縁構成枠の隣接する縦枠材と横枠材とも接合することが可能である。このとき、隣接する縦枠材と横枠材も、一対の額縁構成枠も接着剤により接着されるので、ねじ止めするときのように、ねじの頭部を覆う必要がない。このため、隣接する縦枠材と横枠材の見つけ幅、及び、見込み幅がより小さな額縁を有する額縁ユニットを提供することが可能である。
【０００８】
かかる額縁ユニットであって、前記第二部材の前記接着部には、前記第一部材の前記接着部の端部が挿入される切り欠き部が設けられていることが望ましい。
【０００９】
このような額縁ユニットによれば、第二部材の接着部に設けられている切り欠き部に第一部材の接着部の端部が挿入されているので、一対の額縁構成枠を互いに接着すべく各縦枠材及び各横枠材の接着部に接着剤を塗布すると、第一部材の接着部の端部と第二部材の切り欠き部との隙間にも接着剤が浸入する。このため、一対の額縁構成枠を互いに接着するだけで、各額縁構成枠の隣接する縦枠材と横枠材とをより確実に且つより強固に接合することが可能である。
【００１０】
かかる額縁ユニットであって、前記接着部と前記面材当接部との間には、前記面材とは反対側に窪む溝部が設けられていることが望ましい。
【００１１】
このような額縁ユニットによれば、接着部と面材当接部との間に、面材とは反対側に窪む溝部が設けられているので、一対の額縁構成枠の接着部間において余剰となった接着剤を溝部に貯留させることが可能である。このため、一対の額縁構成枠を接着するために十分に必要な量の接着を接着部に塗布して接着することが可能である。
【００１２】
かかる額縁ユニットであって、前記縦枠材と前記横枠材とは各々、当該額縁ユニットが取り付けられる戸本体に設けられた開口の内周面と対向し、前記開口内に配置される先端に前記接着部が設けられている開口対向部と、前記接着部と間隔を空けて設けられ、前記開口対向部から前記開口の中央側に延出され、前記開口の中央側の先端に前記面材当接部が設けられた延出壁部と、を有し、前記第二部材の前記接着部は、前記開口の中央側に張り出し前記延出壁部と対向する張出部を有し、前記第一部材の前記面材当接部の端部は前記張出部に当接し、前記第一部材の前記延出壁部が前記第二部材の前記延出壁部に当接していることが望ましい。
【００１３】
このような額縁ユニットによれば、第一部材の面材当接部の端部は張出部に当接し、延出壁部は、張出部と対向する第二部材の延出壁部に当接しているので、第２部材の移動を規制して安定した状態で隣接する縦枠材と横枠材とを接合することが可能である。
【００１４】
かかる額縁ユニットであって、前記第一部材の前記開口対向部より外周側に設けられた被挿入部に前記第一部材の長手方向に沿って挿入される挿入部と、前記第二部材の前記開口対向部に形成された挿入孔に挿入されて前記開口対向部より外周側に突出する突出部と、を有する連結部材により前記縦枠材と前記横枠材とが連結されていることが望ましい。
【００１５】
このような額縁ユニットによれば、隣接する縦枠材と横枠材とが第一部材の長手方向に沿って嵌合される挿入部と第二部材の挿入孔に挿入されて突出する連結部材により連結されているので、より強固に縦枠材と横枠材を接合することが可能である。
【００１６】
また、上記額縁ユニットと、前記戸本体と、を有し、前記戸本体の前記開口は、四隅に外周側に窪む凹部を有しており、前記凹部に前記額縁ユニットの前記第二部材を貫通している前記突出部が配置されることを特徴とする戸体である。
【００１７】
このような戸体によれば、一対の額縁構成枠において第二部材の開口対向部から外周側に突出している突出部が配置される凹部が、戸本体の開口に設けられているので、突出部と戸本体との干渉を避けることが可能である。このため、開口の凹部を除く部位と、各開口対向部とを当接または近接させることにより、額縁ユニットを戸本体に対して位置決めして取り付けることが可能である。
【発明の効果】
【００１８】
本発明によれば、見つけ幅、及び、見込み幅がより小さな額縁を有する額縁ユニット及び戸体を提供することが可能である。
【図面の簡単な説明】
【００１９】
【図１】本実施形態に係る扉を示す斜視図である。
【図２】扉を構成する戸本体を示す斜視図である。
【図３】額縁ユニットの縦断面図である。
【図４】額縁ユニットの横断面図である。
【図５】図５（ａ）は、横枠材、縦枠材、及び、連結部材の連結構造を示す開口の内周側から見た斜視図であり、図５（ｂ）は、横枠材、縦枠材、及び、連結部材の連結構造を示す戸本体側から見た斜視図である。
【図６】横枠材と縦枠材とが連結部材により連結された状態を示す斜視図である。
【図７】図７（ａ）は、横枠材と縦枠材との接合部の形状を示す斜視図であり、図７（ｂ）は、横枠材と縦枠材とが組み合わされた状態を示す斜視図である。
【図８】横枠材によりガラス板を保持する方法を示す断面図である。
【図９】縦枠材によりガラス板を保持する方法を示す断面図である。
【発明を実施するための形態】
【００２０】
以下、本発明の一実施形態に係る額縁ユニット及び戸体について図面を参照して説明する。
本実施形態では、本発明の一実施形態に係る額縁ユニットが取り付けられている戸体としての扉を例に挙げて説明する。
【００２１】
本実施形態の扉１は、図１〜図４に示すように、パネル状の断熱材１ａの表裏面に表面材１ｂが設けられた戸本体１ｃと、戸本体１ｃの外周を囲むフレーム１ｄと、戸本体１ｃの中央に設けられた矩形状の開口１ｅに装着された額縁ユニット２と、を有している。
【００２２】
以下の説明においては、扉１が取り付けられている状態で、上下となる方向を上下方向、左右となる方向を左右方向、奥行き方向を見込み方向として示す。扉１の各部位であっても、また、扉１を構成する各部材については単体の状態であっても、建物等に取り付けられている状態にて上下方向、左右方向、見込み方向となる方向にて方向を特定して説明する。また、見込み方向において戸本体１ｃの厚みの中央側をガラス側とし、戸本体１ｃの表面材１ｂ側を単に表面材側として説明する。
【００２３】
額縁ユニット２は、戸本体１ｃの開口１ｅ内に配置される面材としてのガラス板２ａと、室内側及び室外側から各々ガラス板２ａに当接してガラス板２ａを挟持する一対の額縁構成枠３でなる額縁３０と、を有している。一対の額縁構成枠３は、同一の部材である。
【００２４】
額縁構成枠３は、開口１ｅの上下に配置される押出成型材の横枠材３１と、開口１ｅの左右に配置される押出成型材の縦枠材３２と、を有し、左右方向に間隔を空けて配置される２本の縦枠材３２の間に挟まれるように上下の横枠材３１が配置されている。
【００２５】
各横枠材３１は、戸本体１ｃの開口１ｅを形成する上または下の内周面１ｆのいずれかと対向する横内周面対向部３１ａと、横内周面対向部３１ａと繋がって戸本体１ｃの表面材１ｂと対向する横表面対向部３１ｂと、横内周面対向部３１ａのガラス側の端から開口１ｅの中央側に延出されてガラス板２ａと対向する横ガラス対向部３１ｃと、横内周面対向部３１ａのガラス側の端から内周面側及びガラス側に延出された横延出部３１ｄと、横延出部３１ｄの先端に、内周面１ｆ側に延出されて接着剤４が供給される横接着部３１ｅと、を有している。
【００２６】
また、横内周面対向部３１ａにおいて開口１ｅの内周面１ｆと対向する部位には、横枠材３１と縦枠材３２とを連結する、後述する連結部材５が挿入される連結部材被挿入部３１ｆが設けられている。
【００２７】
連結部材被挿入部３１ｆは、横内周面対向部３１ａと、横内周面対向部３１ａから内周面側に突出して先端が屈曲したフック片３１ｇと、横表面対向部３１ｂと、横表面対向部３１ｂからガラス側に突出された挿入突片３１ｈと、により形成されている。
【００２８】
フック片３１ｇの横内周面対向部３１ａからの突出量、挿入突片３１ｈの内周面側の面の位置は、横接着部３１ｅの内周面側への延出量と同一に設定されており、横内周面対向部３１ａが内周面１ｆに当接する場合には、フック片３１ｇ、挿入突片３１ｈ、及び、横接着部３１ｅが当接されるように構成されている。
【００２９】
横ガラス対向部３１ｃは、見込み方向において横接着部３１ｅより表面材側に設けられており、開口１ｅの中央側の端部に、ガラス側に延出されてガラス板２ａに当接される面材当接部としての横ガラス当接片３１ｉが設けられている。横ガラス当接片３１ｉは、横ガラス対向部３１ｃの先端と、先端より内周面側とに間隔を空けて２箇所に設けられている。また、横ガラス当接片３１ｉの先端は、横接着部３１ｅよりも表面材側に位置している。
【００３０】
２箇所に設けられた横ガラス当接片３１ｉの間には、表面材側に窪む横内側溝部３１ｊが設けられている。また、内周面側の横ガラス当接片３１ｉと横延出部３１ｄ及び横接着部３１ｅとの間には、ガラス板２ａとは反対側、すなわち表面材側に窪む横外側溝部３１ｋが設けられている。横外側溝部３１ｋには、横接着部３１ｅに供給された接着剤４により一対の額縁構成枠３を接着する際に、余剰となった接着剤４が貯留し、横内側溝部３１ｊにより横外側溝部３１ｋに貯留した接着剤４が直接外部に溢れることが抑えられている。
【００３１】
各縦枠材３２は、戸本体１ｃの開口１ｅの左または右の内周面１ｇのいずれかと対向する開口対向部としての縦内周面対向部３２ａと、縦内周面対向部３２ａと繋がって戸本体１ｃの表面材１ｂと対向する縦表面対向部３２ｂと、縦内周面対向部３２ａから開口１ｅの中央側に延出されてガラス板２ａと対向する延出壁部としての縦ガラス対向部３２ｃと、を有している。
【００３２】
縦内周面対向部３２ａのガラス側の端部には、開口１ｅを形成する内周面１ｇ側と開口１ｅの中央側とにそれぞれ延出され、接着剤４が供給される縦接着部３２ｄが設けられている。また、縦内周面対向部３２ａにおいて開口１ｅの内周面１ｇと対向する部位には、内周面側に突出する縦リブ３２ｆが設けられている。縦リブ３２ｆの突出量は、縦接着部３２ｄの内周面側への延出量と同一に設定されており、縦内周面対向部３２ａが内周面１ｇに当接する場合には、縦リブ３２ｆと縦接着部３２ｄとが当接されるように構成されている。
【００３３】
縦ガラス対向部３２ｃは、見込み方向において縦接着部３２ｄより表面材側に設けられており、開口１ｅの中央側の端部に、ガラス側に延出されてガラス板２ａに当接される面材当接部としての縦ガラス当接片３２ｇが設けられている。縦ガラス当接片３２ｇは、縦ガラス対向部３２ｃの先端と、先端より内周面側に間隔を空けて２箇所に設けられている。また、縦ガラス当接片３２ｇの先端は、縦接着部３２ｄよりも表面材側に位置している。
【００３４】
２箇所に設けられた縦ガラス当接片３２ｇの間には、表面材側に窪む縦内側溝部３２ｈが設けられている。また、内周面側の縦ガラス当接片３２ｇと、縦内周面対向部３２ａの縦ガラス対向部３２ｃよりガラス側の部位との間には、ガラス板２ａとは反対側、すなわち表面材側に窪む縦外側溝部３２ｉが設けられている。縦外側溝部３２ｉには、縦接着部３２ｄに供給された接着剤４により一対の額縁構成枠３を接着する際に、余剰となった接着剤４が貯留し、縦内側溝部３２ｈにより縦外側溝部３２ｉに貯留した接着剤４が直接外部に溢れることが抑えられている。
【００３５】
図５に示すように、連結部材５は、高さが低い扁平のほぼ直方体状をなし、長手方向における一方の側であって、縦枠材３２の挿入孔３２ｊに圧入状態で挿入される突出部５ａと、長手方向における他方の側であって、横枠材３１の連結部材被挿入部３１ｆに、横枠材３１の長手方向に沿って圧入状態で挿入される挿入部５ｂと、を有し、挿入部５ｂが突出部５ａよりも長く形成されている。挿入部５ｂの突出部５ａ側の端には、図６に示すように、挿入部５ｂが連結部材被挿入部３１ｆに挿入された際に、フック片３１ｇと挿入突片３１ｈとの間に配置され、突出部５ａが挿入孔３２ｊに挿入されたときに縦内周面対向部３２ａに当接されて連結部材５の移動を規制する規制片５ｃが設けられている。
【００３６】
縦枠材３２は、図７に示すように、横枠材３１の端が縦枠材３２の縦内周面対向部３２ａに当接されるとともに、横枠材３１の連結部材被挿入部３１ｆに圧入された連結部材５の突出部５ａが挿入される挿入孔３２ｊが設けられている。より具体的には、縦枠材３２の上下の端部は、縦ガラス対向部３２ｃが切除されるとともに、残存する縦ガラス対向部３２ｃより上下の端部側であって、縦ガラス対向部３２ｃよりも表面材側に、連結部材５の突出部５ａが圧入状態で挿入される挿入孔３２ｊが設けられている。また、残存する縦ガラス対向部３２ｃの上下の端部は、縦ガラス当接片３２ｇが切除されている。また、縦枠材３２の縦接着部３２ｄの上下の端部には、開口１ｅの中央側に延出された部位が切り欠かれた切り欠き部３２ｋが設けられている。切り欠き部３２ｋの上下方向の幅Ｗ１は、横枠材３１の横接着部３１ｅの上下方向の幅Ｗ２とほぼ一致している。
【００３７】
連結部材５により横枠材３１と縦枠材３２とが接合されると、残存する縦ガラス対向部３２ｃと、縦接着部３２ｄの張出部３２ｅとの間に、横枠材３１の横ガラス対向部３１ｃが挿入される。このとき、横ガラス対向部３１ｃの表面材側の面から横ガラス当接片３１ｉの先端までの幅Ｗ３は、縦ガラス対向部３２ｃのガラス側の面と張出部３２ｅの表面材側の面との間隔Ｗ４とほぼ一致している。このため、横ガラス対向部３１ｃが、縦ガラス対向部３２ｃの縦ガラス当接片３２ｇが切除されている部位に当接され、横枠材３１の横ガラス当接片３１ｉが、縦枠材３２の縦接着部３２ｄの内周側に張り出している張出部３２ｅの表面材側に当接される。
【００３８】
また、横枠材３１の横接着部３１ｅの端部が、縦枠材３２に設けられた切り欠き部３２ｋに挿入されて、横枠材３１の横接着部３１ｅと縦枠材３２の縦接着部３２ｄとが矩形状に繋がる。本実施形態においては、切り欠き部３２ｋを有する縦枠材３２が、隣接する縦枠材３２と横枠材３１とのうちの一方となる第二部材に相当し、切り欠き部３２ｋに挿入される横接着部３１ｅの端部を有する横枠材３１が第一部材に相当する。
【００３９】
このように、横枠材３１と縦枠材３２とが接合されることにより、横枠材３１は、縦枠材３２に対して、見込み方向の何れにも、また上下方向の何れにも移動が規制される。このため、横枠材３１と縦枠材３２とは、仮に連結部材５が挿入されていなくとも、互いに位置決めされて組み合わせることが可能である。
【００４０】
上下の横枠材３１と左右の縦枠材３２とが接合された額縁構成枠３は、横枠材３１のフック片３１ｇの先端、挿入突片３１ｈの内周面側の面、及び、横接着部３１ｅの内周面側の先端が、開口１ｅ横の内周面１ｆに当接され、縦枠材３２の縦リブ３２ｆ及び、縦接着部３２ｄの内周面側の先端が、開口１ｅの縦の内周面１ｇに当接されて位置決めされて配置される。このとき、戸本体に設けられる開口が単に矩形状に形成されていると、縦枠材３２の上下の端部に嵌入されている連結部材５の突出部５ａが戸本体１ｃと干渉してしまう。このため、本実施形態の戸本体１ｃの開口１ｅには、図２に示すように、四隅に外周側に窪む凹部１ｈが設けられており、額縁構成枠３が戸本体１ｃに装着される際には、縦内周面対向部３２ａから突出している突出部５ａが凹部１ｈに配置されるように構成されている。
【００４１】
一対の額縁構成枠３によりガラス板２ａを保持する方法は、図８、図９に示すように、まず、一方の額縁構成枠３を戸本体１ｃの開口１ｅに装着し、額縁構成枠３が装着されている側が下になるように、戸本体１ｃと額縁構成枠３とを平坦な作業台等の上に載置する。
【００４２】
次に、額縁構成枠３の横接着部３１ｅ及び縦接着部３２ｄの内側に設けられている横ガラス当接片３１ｉ及び縦ガラス当接片３２ｇにガラス板２ａの周端部を当接させてガラス板２ａを額縁構成枠３上に載置する。
【００４３】
次に、ガラス板２ａの外周側に露出している横接着部３１ｅ及び縦接着部３２ｄに接着剤４を塗布などして供給する。このとき、接着剤４は、横外側溝部３１ｋ及び縦外側溝部３２ｉに進入するとともに、縦枠材３２の上下端部では、横枠材３１の横接着部３１ｅと縦枠材３２の切り欠き部３２ｋとの隙間、横ガラス対向部３１ｃの表面材側の面と縦ガラス対向部３２ｃのガラス側の面との隙間、横ガラス当接片３１ｉと張出部３２ｅの表面材側の部位との隙間、横ガラス対向部３１ｃの端縁と縦内周面対向部３２ａとの隙間にも接着剤４が浸入する。
【００４４】
次に、上方から他方の額縁構成枠３の横ガラス対向部３１ｃ及び縦ガラス対向部３２ｃを戸本体１ｃの開口１ｅ内に挿入させて、横ガラス当接片３１ｉ及び縦ガラス当接片３２ｇをガラス板２ａの上面に当接させると共に、一対の額縁構成枠３が各々有する横接着部３１ｅ及び縦接着部３２ｄにより接着剤４を押圧する。接着剤４を横接着部３１ｅ及び縦接着部３２ｄにより上下から押圧することにより、上側に位置する額縁構成枠３の横外側溝部３１ｋ及び縦外側溝部３２ｉにも進入するとともに、上側の額縁構成枠３における縦枠材３２の上下端部では、横枠材３１の横接着部３１ｅと縦枠材３２の切り欠き部３２ｋとの隙間、横ガラス対向部３１ｃの表面材側の面と縦ガラス対向部３２ｃのガラス側の面との隙間、横ガラス当接片３１ｉと張出部３２ｅの表面材側の部位との隙間、横ガラス対向部３１ｃの端縁と縦内周面対向部３２ａとの隙間にも浸入する。このため、接着剤４により一対の額縁構成枠３を接合するとともに、各額縁構成枠３の上下の横枠材３１と左右の縦枠材３２とが強固に接合される。
【００４５】
本実施形態の額縁ユニット２によれば、横枠材３１の横ガラス当接片３１ｉは縦枠材３２の縦接着部３２ｄの内周側に張り出している張出部３２ｅの表面材側の面に当接しているので、一対の額縁構成枠３を接着剤４により互いに接着するだけで、隣接する横枠材３１と縦枠材３２とを強固に接合ことが可能である。このとき、隣接する横枠材３１と縦枠材３２、及び、一対の額縁構成枠３が接着剤４により接着されるので、ねじ止めするときのように、ねじの頭部を覆う必要がない。すなわち、横枠材３１と縦枠材３２が、ねじの頭部を覆うだけの見つけ幅、及び、見込み幅を有する必要がない。このため、隣接する横枠材３１と縦枠材３２の見つけ幅、及び、見込み幅がより小さな額縁構成枠３を有する額縁ユニット２を提供することが可能である。
【００４６】
また、縦枠材３２の縦接着部３２ｄの縦接着部３２ｄに設けられている切り欠き部３２ｋに、横枠材３１の横接着部３１ｅの端部が挿入されているので、一対の額縁構成枠３を互いに接着すべく各横枠材３１の横接着部３１ｅ及び各縦枠材３２の縦接着部３２ｄに接着剤４を塗布すると、横枠材３１の横接着部３１ｅの端部と各縦枠材３２の縦接着部３２ｄの切り欠き部３２ｋとの隙間にも接着剤４が浸入する。このため、一対の額縁構成枠３を互いに接着するだけで、隣接する横枠材３１と縦枠材３２とをより確実に接合することが可能である。
【００４７】
また、横接着部３１ｅと横ガラス当接片３１ｉとの間、及び、縦接着部３２ｄと縦ガラス当接片３２ｇとの間には、ガラス板２ａとは反対側に窪む横外側溝部３１ｋ及び縦外側溝部３２ｉが設けられているので、一対の額縁構成枠３の横接着部３１ｅ間、及び、縦接着部３２ｄ間において余剰となった接着剤４を横外側溝部３１ｋ及び縦外側溝部３２ｉに貯留することが可能である。このため、一対の額縁構成枠３を接着するために十分に必要な量の接着剤４を横接着部３１ｅ及び縦接着部３２ｄに塗布して接着することが可能である。
【００４８】
また、横枠材３１の横ガラス当接片３１ｉの端部は縦枠材３２の縦接着部３２ｄの内周側に張り出している張出部３２ｅに当接し、横枠材３１の横ガラス対向部３１ｃは、張出部３２ｅと対向する縦枠材３２の縦ガラス対向部３２ｃに当接しているので、横枠材３１の移動を規制して安定した状態で隣接する横枠材３１と縦枠材３２とを接合することが可能である。
【００４９】
このとき、横枠材３１の横ガラス対向部３１ｃが、横ガラス対向部３１ｃにおいて縦外側溝部３２ｉを形成する縦ガラス当接片３２ｇが切除されている部位にて縦ガラス対向部３２ｃと張出部３２ｅとの間に配置されているので、縦外側溝部３２ｉに貯留する接着剤４により、横ガラス対向部３１ｃの表面材側の面と縦ガラス対向部３２ｃのガラス側の面とが、横ガラス当接片３１ｉと張出部３２ｅの表面材側の部位とが、横ガラス対向部３１ｃの端縁と縦内周面対向部３２ａとが、それぞれ接着される。このため、より強固に横枠材３１と縦枠材３２とを接合することが可能である。
【００５０】
また、横枠材３１と縦枠材３２とが横枠材３１の長手方向に沿って圧入状態で挿入される挿入部５ｂと縦枠材３２の挿入孔３２ｊに挿入されて突出部５ａが突出する連結部材５により連結されているので、より強固に横枠材３１と縦枠材３２とを接合することが可能である。
【００５１】
また、一対の額縁構成枠３において縦枠材３２の縦内周面対向部３２ａから外周側に突出している突出部５ａが配置される凹部１ｈが、戸本体１ｃの開口１ｅに設けられているので、突出部５ａと戸本体１ｃとの干渉を避けることが可能である。このため、開口１ｅの凹部１ｈを除く部位と、横内周面対向部３１ａ及び縦内周面対向部３２ａとを当接または近接させることにより、額縁ユニット２を戸本体１ｃに対して位置決めして取り付けることが可能である。
【００５２】
上記実施形態においては、縦枠材３２の縦接着部３２ｄに設けられた切り欠き部３２ｋに横枠材３１の横接着部３１ｅが挿入される例について説明したが、これに限らず、横枠材の横接着部に設けられた切り欠き部に縦枠材の縦接着部の端部が挿入される構成であっても構わない。
【００５３】
上記実施形態においては、面材の一例としてガラス板を例に挙げて説明したが、これに限らず、例えばポリカーボネート板などであっても構わない。
【００５４】
上記実施形態においては、額縁ユニット２が取り付けられた戸体を、扉を例に挙げて説明したが、扉に限ることなく、引戸や開き戸などの障子であっても構わない。また、額縁ユニットは、壁などに直接設けられていても構わない。
【００５５】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１  扉、１ｃ  戸本体、１ｅ  開口、１ｆ  内周面、１ｇ  内周面、１ｈ  凹部、
２  額縁ユニット、２ａ  ガラス板、３  額縁構成枠、４  接着剤、５  連結部材、
５ａ  突出部、５ｂ  挿入部、３０  額縁、３１  横枠材、３１ａ  横内周面対向部、
３１ｃ  横ガラス対向部、３１ｅ  横接着部、３１ｆ  連結部材被挿入部、
３１ｉ  横ガラス当接片、３１ｋ  横外側溝部、３２  縦枠材、
３２ａ  縦内周面対向部、３２ｃ  縦ガラス対向部、３２ｄ  縦接着部、
３２ｅ  張出部、３２ｉ  縦外側溝部、３２ｊ  挿入孔、３２ｋ  切り欠き部、
【図１】
2019120083.tif 000003
【図２】
2019120083.tif 000004
【図３】
2019120083.tif 000005
【図４】
2019120083.tif 000006
【図５】
2019120083.tif 000007
【図６】
2019120083.tif 000008
【図７】
2019120083.tif 000009
【図８】
2019120083.tif 000010
【図９】
2019120083.tif 000011